(57)【要約】      （修正有）【課題】既存の学校机に対して簡単な構成で容易にウィルス対策を施すことができる学校机を提供する。【解決手段】学校の机１１であって、パーティション１５を備える。このパーティション１５は、机１１の天板１２の縁部にはめ合わされる取り付け部材１７と、この取り付け部材１７にはめ合わされるパネル部材１８とを有する。パネル部材１８は、ガラス繊維布帛と、このガラス繊維布帛に含侵させた硬化性樹脂組成物とを含む基材層を有することで不燃性を有する。【選択図】図１
0003231914.tif 000002
【実用新案登録請求の範囲】
【請求項１】
パーティションを備えた学校机であって、前記パーティションは、机の天板の縁部にはめ合わされる取り付け部材と、この取り付け部材にはめ合わされるパネル部材とを有することを特徴とする学校机。
【請求項２】
パネル部材は、ガラス繊維布帛と、このガラス繊維布帛に含侵させた硬化性樹脂組成物とを含む基材層を有するものであることを特徴とする請求項１記載の学校机。
【請求項３】
取り付け部材は、机の天板の縁部を挟み込んでこの縁部に被さる第１収容部を有することを特徴とする請求項１または２記載の学校机。
【請求項４】
取り付け部材は、立てた状態のパネル部材の下端部を挟み込んだ状態で収容する第２収容部を有することを特徴とする請求項１から３までのいずれか１項記載の学校机。
【請求項５】
第２収容部とパネル部材との一方に突起が設けられているとともに、その他方に、前記突起がはまり込む凹部が設けられていることを特徴とする請求項４記載の学校机。
【請求項６】
第２収容部におけるパネル部材の下端部を収容する部分に、クッション性および滑止性を有する部材が設けられていることを特徴とする請求項５記載の学校机。
【請求項７】
クッション性および滑止性を有する部材がシリコン製であることを特徴とする請求項６記載の学校机。
【請求項８】
取り付け部材は、机の天板の縁部にはめ合わされた状態でパネル部材を吊り下げることができるフックを有することを特徴とする請求項１から７までのいずれか１項記載の学校机。
【請求項９】
パネル部材は、フックを通すことができる吊り下げ用の穴を有することを特徴とする請求項８記載の学校机。
【請求項１０】
取り付け部材は、机の天板の横長方向に距離をおいた２か所にそれぞれ設けられていることを特徴とする請求項１から９までのいずれか１項記載の学校机。
【考案の詳細な説明】
【技術分野】
【０００１】
本考案は学校机に関する。
【背景技術】
【０００２】
児童や生徒のための学校机が各種知られている（たとえば特許文献１）。
【先行技術文献】
【特許文献】
【０００３】
【特許文献１】特開２０１８−６１８０９号公報
【考案の概要】
【考案が解決しようとする課題】
【０００４】
昨今、ウィルス感染防止のための対策が様々な分野で実施されているが、本考案は、ウィルス対策を施した学校机を得ることを目的とし、特に既存の学校机に対して簡単な構成で容易にウィルス対策を施すことができるようにすることを目的とする。
【課題を解決するための手段】
【０００５】
この目的を達成するため本考案の学校机は、パーティションを備え、このパーティションは、机の天板の縁部にはめ合わされる取り付け部材と、この取り付け部材にはめ合わされるパネル部材とを有することを特徴とする。
【０００６】
本考案の学校机によれば、パネル部材は不燃性を有することが好適である。詳細には、パネル部材は、ガラス繊維布帛と、このガラス繊維布帛に含侵させた硬化性樹脂組成物とを含む基材層を有するものであることが好適である。
【０００７】
本考案の学校机によれば、取り付け部材は、机の天板の縁部を挟み込んでこの縁部に被さる第１収容部を有することが好適である。
【０００８】
本考案の学校机によれば、取り付け部材は、立てた状態のパネル部材の下端部を挟み込んだ状態で収容する第２収容部を有することが好適である。
【０００９】
本考案の学校机によれば、第２収容部とパネル部材との一方に突起が設けられているとともに、その他方に、前記突起がはまり込む凹部が設けられていることが好適である。
【００１０】
本考案の学校机によれば、第２収容部におけるパネル部材の下端部を収容する部分に、クッション性および滑止性を有する部材が設けられていることが好適である。
【００１１】
本考案の学校机によれば、クッション性および滑止性を有する部材がシリコン製であることが好適である。
【００１２】
本考案の学校机によれば、取り付け部材は、机の天板の縁部にはめ合わされた状態でパネル部材を吊り下げることができるフックを有することが好適である。
【００１３】
本考案の学校机によれば、パネル部材は、フックを通すことができる吊り下げ用の穴を有することが好適である。
【００１４】
本考案の学校机によれば、取り付け部材は、机の天板の横長方向に距離をおいた２か所にそれぞれ設けられていることが好適である。
【考案の効果】
【００１５】
本考案の学校机によれば、パーティションを備え、このパーティションが、机の天板の縁部にはめ合わされる取り付け部材と、この取り付け部材にはめ合わされるパネル部材とを有するだけの簡単な構成であるため、たとえば既存の机の天板の縁部に取り付け部材をはめ合わせるとともに、取り付け部材にパネル部材をはめ合わせるだけの作業だけで、ウィルス対策を施した学校机を容易に得ることができる。
【図面の簡単な説明】
【００１６】
【図１】本考案の実施の形態の学校机を示す図である。
【図２】図１の学校机におけるパネル部材を示す図である。
【図３】同パネル部材の要部の構成を示す図である。
【図４】図１の学校机における取り付け部材を示す図である。
【図５】同取り付け部材の使用状態を示す図である。図
【考案を実施するための形態】
【００１７】
図１において１１は、学校において使用される机であり、天板１２と、この天板１２を支える４本の脚１３とを備えている。１４は、この机１１の使用者である児童または生徒である。
【００１８】
机１１には、主として飛沫感染を防止するためのパーティション１５が設けられている。このパーティション１５は、机１１の天板１２の前側の縁部１６にはめ合わされる取り付け部材１７と、この取り付け部材１７にはめ合わされるパネル部材１８とを有する。取り付け部材１７は、天板１２の前側の縁部１６の横長方向に沿って距離をおいた一対の位置にそれぞれはめ合わされている。すなわち、一対の取り付け部材１７によって、１枚のパネル部材１８を支持するように構成されている。
【００１９】
図２に示すように、パネル部材１８は矩形状の透明板にて形成されている。このような透明板としては、一般的な熱可塑性樹脂（ポリカーボネート樹脂、ポリオレフィン樹脂、ポリエステル樹脂、アクリル樹脂など）にて形成された板材を好適に用いることができる。あるいは、パネル部材１８を透明な不燃性シート（たとえば、ガラス繊維布帛と、このガラス繊維布帛に含侵させた硬化性樹脂組成物とを含む基材層を有するもの）にて構成することもできる。その場合は、確実な防炎対策を施すことででき、学校における安全対策に有効に寄与することができる。パネル部材１８は、図示のように樹脂板だけで構成することもできるし、場合によっては樹脂製の板材の周縁に金属製のフレームを取り付けた構成とすることもできる。
【００２０】
図１および図２に示すようにパネル部材１８は立てた状態で使用されるが、その下端部には、開口構造の窓１９が設けられている。また、図２および図３において詳しく示すように、パネル部材１８の下端部における窓１９を除く部分の表側と裏側とには、横方向の溝状の凹部２０が形成されている。パネル部材１８の上部には、一対の穴２４が、パネル部材１８の幅方向に距離をおいた状態で形成されている。
【００２１】
図４に詳しく示すように、取り付け部材１７は、横断面Ｕ字形に形成された第１収容部２１と、横断面コ字形に形成された第２収容部２２と、板状のフック２３とを一体に有する。このような構造の取り付け部材１７は、真鍮などの金属や、硬質樹脂や、その他の材料にて一体成型されたものであることが好適である。
【００２２】
図４および図５に示すように、第１収容部２１は、Ｕ字形状を構成する一方壁部２５と他方壁部２６と底壁部２７とを有する。そして図５に示すように、一方壁部２５を上側に配置するとともに、他方壁部２６を下側に配置した状態で、机１１の前側の縁部１６を挟み込むようにしてこの縁部１６に被せられる。その被せられるときに、第１収容部２１は、Ｕ字形状が縁部１６によって押し広げられた状態に弾性変形される。
【００２３】
そして取り付け部材１７は、そのときに発生する弾性力によって机１１の天板１２の縁部１６に保持される。下側に配置される他方壁部２６の内面には凹凸２８が形成されている。この凹凸２８は凹部２９と凸部３０とを有し、これら凹部２９および凸部３０は、いずれもＵ字形状を視認できる方向に延びた状態で、すなわち机１１の前側の縁部１６に沿って伸びた状態で、形成されている。このような構成であると、凹凸２８が形成された部分では、凸部３０の先端だけが机１１の天板１２の縁部１６が接触するため、接触面積が低減されることによる面圧の向上を図ることができ、それによって机１１の天板１２の縁部１６に対する取り付け部材１７の保持力を増大させることができる。
【００２４】
取り付け部材１７の第２収容部２２は、Ｕ字形状を構成する上側の一方壁部２５に対して一体に形成されている。そして横断面コ字形の第２収容部２２は、図５に示すように取り付け部材１７が机１１の天板１２の縁部１６に装着されたときに、そのコ字形を形成する開口３１が上向きの姿勢となるように構成されている。これによって図示のようにパネル部材１８の下端部を上方から第２収容部２２に押し込み状態ではめ込んで、弾性的に保持することが可能である。横断面コ字形の第２収容部２２の内面には、一対の突起としての突条３２が形成されている。これらの突条３２は、図示のようにパネル部材１８の下端部を第２収容部１６にはめ込んだときに、このパネル部材１８の凹部２０にはまり込むことができるように構成されている。これによって、パネル部材１８は、第２収容部２２が弾性変形することに基づく弾性力によって保持されるとともに、凹部２０と突条３２とのはめ合い保持力によっても保持されることになって、取り付け部材によって確実に保持されることになる。なお、上記に代えて、第２収容部２２に凹部を形成するとともにパネル部材１８に突条を形成することもできる。
【００２５】
パネル部材１８をいっそう確実に保持するために、第２収容部２２の内面には、クッション性および滑止性を有する部材を設けることができる。このような部材としては、シリコンやその他の材料にて形成されたものを好適に用いることができる。
【００２６】
パネル部材１８は、このように取り付け部材１７によって弾性的に保持されているだけであるので、その弾性力を上回る上向きの力を人力などによって作用させることで、図５において矢印３３で示すように、取り付け部材１７から困難なく離脱させることができる。
【００２７】
図４および図５に詳しく示すように、板状のフック２３は、横断面Ｕ字形の第１収容部２１の底壁部２７と一体に形成されている。そしてフック２３は、図５に示すように取り付け部材１７が机１１の天板１２の縁部１６に装着されたときに、第１収容部２１の底壁部２７から机１１の前方に向けて水平方向に突出するように構成されている。フック２３は、図示のように、一端が底壁部２７に接続された片持ち構造の水平部３５と、水平部３５の他端から上向きに傾斜するように形成されたせり上がり部３６とを一体に有した構成である。そしてフック２３は、取り付け部材１７から取り外した状態のパネル部材１８の穴２４に差し込むことができる寸法で形成されている。
【００２８】
このような構成のパーティション１５を既存の机などの机１１に取り付ける際には、一対の取り付け部材１７を、パネル部材１８における一対の穴２４どうしの間隔と等しい間隔で、机１１の天板１２の前側の縁部１６に被せるようにはめ合わせて取り付ける。次に、これらの取り付け部材１７の第２収容部２２にパネル部材１８の下端部をはめ込むことによって、このパネル部材１８を取り付け部材１７によって保持する。このとき、パネル部材１８は、距離をおいて配置された一対の取り付け部材１７によって保持されるため、机１１の天板１２の縁部１６に対して安定した状態で保持されることになる。保持後の使用状態は、図１に示すとおりである。
【００２９】
パネル部材１８を使用しないときには、このパネル部材１８を図５における矢印３３に示すように取り付け部材１７から上向きに引き抜いて、この取り付け部材１７から離脱させる。そのうえでパネル部材１８の穴２４に取り付け部材１７のフック２３を通すようにして、図１において仮想線で示すように、パネル部材１８を一対の取り付け部材３７によって吊り下げ支持する。このとき、フック２３はせり上がり部３６を有しているため、フック２３からのパネル部材１８の脱落を防止することができる。これによって、パネル部材１８すなわちパーティション１５を使用しないときに、このパネル部材１８を、取り付け部材１７から取り外して、安定な状態で保持することができる。次の使用時には、パネル部材１８をフック２３から取り外したうえで、上記と同様にして取り付け部材に取り付ければよい。
【００３０】
なお、図示は省略するが、取り付け部材をヒンジ構造とすれば、このヒンジ構造の取り付け部材を１８０度回転させることで、それまで上向きに立ち上がっていたパネル部材を、その立ち上がり状態から、垂れ下がり格納状態に変更することができる。このような構成であれば、取り付け部材に対するパネル部材の着脱工程を要することなしに、パネル部材を使用状態と非使用状態とに切り替えることができる。
【００３１】
あるいは、取り付け部材１７から取り外したパネル部材１８を上記のようにフック２３によって吊り下げ支持することに代えて、別の場所の格納部材によって格納することもできる。
【符号の説明】
【００３２】
１１    机
１２    天板
１５    パーティション
１７    取り付け部材
１８    パネル部材
２０    凹部
２１    第１収容部
２２    第２収容部
２３    フック
２４    穴
３２    突条
【図１】
0003231914.tif 000003
【図２】
0003231914.tif 000004
【図３】
0003231914.tif 000005
【図４】
0003231914.tif 000006
【図５】
0003231914.tif 000007